(57)【要約】【解決手段】インクパッケージＰは、保持容器２と可撓袋３とからなるインクケース１と、そのインクケース１を収容する包装箱４とを備えている。包装箱４の開閉蓋部１０には開口部９を開閉するメインフラップ１１の内側で開口部９の一部を開閉するサブフラップ１２を設けている。保持容器２に設けた鉤状係止突起部２０をサブフラップ１２の両フラップ部２４，２５間で挟んで係止し、包装箱４の外壁部５内でインクケース１が保持容器２に対する可撓袋３の突出方向に沿う可撓袋３の撓み方向へ動くのを規制する。【効果】インクパッケージＰにおいて包装箱４の外壁部５内でインクケース１の動きを規制する規制構造を簡単にすることができる。【選択図】図３
2005350132.tif 000002
【特許請求の範囲】
【請求項１】
インク供給口部を有するインクケースを外壁部内に開閉蓋部から収容してそのインク供給口部をこの外壁部から外側へ露出させた包装箱を備えたインクパッケージにおいて、このインクケースにはこの包装箱の開閉蓋部に面して係止部を設けるとともに、この包装箱の開閉蓋部にもこのインクケースに面して係止部を設け、この開閉蓋部の係止部をこのインクケースの係止部に係止させて、包装箱内でインクケースが動くのを規制するようにしたことを特徴とするインクパッケージ。
【請求項２】
前記開閉蓋部の係止部は、前記包装箱の外壁部に設けた開口部を開閉するフラップであって、この外壁部の開口部に対する閉状態で前記インクケースの係止部に係止されることを特徴とする請求項１に記載のインクパッケージ。
【請求項３】
インク供給口部を有する保持容器に可撓袋を連結してこのインク供給口部にこの可撓袋内を連通するとともに、この可撓袋をこの保持容器の外側へ突出し得るインクケースと、
そのインクケースを外壁部内に開閉蓋部から収容してインクケースのインク供給口部をこの外壁部から外側へ露出させた包装箱と
を備えたインクパッケージにおいて、
前記包装箱で開閉蓋部には外壁部に設けた開口部を開閉するメインフラップの内側でその開口部を開閉するサブフラップを設け、前記保持容器に設けた係止部にこのサブフラップをこの外壁部の開口部に対する閉状態で係止させて、包装箱内でインクケースが保持容器に対する可撓袋の突出方向に沿う可撓袋の撓み方向へ動くのを規制するようにした
ことを特徴とするインクパッケージ。
【請求項４】
前記保持容器は、前記インク供給口部を設けた側壁部と、この側壁部の外周に設けた周壁部と、その側壁部と周壁部との間に設けた収容室と、この側壁部に対向する側でこの収容室に設けた開放部とを備え、前記可撓袋はこの保持容器の周壁部に連結されてその開放部から収容室の外側へ突出可能であり、
この保持容器の周壁部に前記包装箱の開閉蓋部に面して形成した係止突起部を前記保持容器の係止部とした
ことを特徴とする請求項３に記載のインクパッケージ。
【請求項５】
前記保持容器の係止突起部は、保持容器において開放部を囲う周壁部の外周縁部でフランジに設けられ、前記可撓袋はこのフランジに連結されていることを特徴とする請求項４に記載のインクパッケージ。
【請求項６】
前記保持容器の係止突起部は、前記サブフラップが前記包装箱における外壁部の開口部に対する閉状態から開くのを規制するように鉤状をなすことを特徴とする請求項４または請求項５に記載のインクパッケージ。
【請求項７】
前記サブフラップは、保持容器に対する可撓袋の突出方向に沿う可撓袋の撓み方向の両側で、保持容器の係止突起部を挟む一対のフラップ部を有していることを特徴とする請求項４または請求項５または請求項６に記載のインクパッケージ。
【請求項８】
前記保持容器は、前記インク供給口部を設けた側壁部と、この側壁部の外周に設けた周壁部と、その側壁部と周壁部との間に設けた収容室と、この側壁部に対向する側でこの収容室に設けた開放部とを備え、前記可撓袋はこの保持容器の周壁部に連結されてその開放部から収容室の外側へ突出可能であり、
前記サブフラップをこの開放部に係入してこの周壁部を前記保持容器の係止部とし、この周壁部に対するこのサブフラップの係止により、サブフラップが前記包装箱における外壁部の開口部に対する閉状態から開くのを規制するようにしたことを特徴とする請求項３に記載のインクパッケージ。
【発明の詳細な説明】
【技術分野】
【０００１】
本発明は、インクケースを収容した包装箱をそのまま印刷機に設置することができるインクパッケージに関するものである。
【背景技術】
【０００２】
従来、この種のインクパッケージにおいては、インクケースを外壁部内に開閉蓋部から収容してインクケースのインク供給口部をこの外壁部から外側へ露出させた包装箱を備えている。例えば、インクケースにおいては、インク供給口部を有する保持容器に可撓袋を連結してこのインク供給口部にこの可撓袋内を連通するとともに、この可撓袋をこの保持容器の外側へ突出させている。このようにインクケースに可撓袋を利用すると、インクケースにインクを収容していない状態で多数のインクケースを保管する際、可撓袋を折畳んで保持容器を互いに重ねることができ、多数のインクケースが嵩張らず便利である。
【発明の開示】
【発明が解決しようとする課題】
【０００３】
しかし、インクケースが包装箱内で動くと、包装箱の外壁部に対するインク供給口部の位置も変化し、インクパッケージを印刷機に設置した際、インク供給口部の位置が一定にならず、そのインク供給口部に対するインク供給管の接続が行いにくくなる。特に、可撓袋を有するインクケースでは、包装箱の外壁部の内側に可撓袋が当たって撓むと、インクケースが可撓袋の撓み方向へ動くため、インク供給口部の位置が変化し易い。
【０００４】
そこで、従来では、インクケースの動きを規制する規制部を包装箱の外壁部内に設けたり、インクケースの動きを規制する規制部品を包装箱の外壁部内に挿入したりしていた。しかし、包装箱の外壁部内の構造が複雑になったり部品点数が増えるため、包装箱の製造が面倒になる問題があった。
【０００５】
この発明は、インクケースを収容した包装箱を備えたインクパッケージにおいて、包装箱の外壁部内でインクケースの動きを規制する規制構造を簡単にすることを目的としている。
【課題を解決するための手段】
【０００６】
後記実施形態の図面（図１〜６に示す第一実施形態、図７〜８に示す第二実施形態）の符号を援用して本発明を説明する。
請求項１の発明にかかるインクパッケージは、第一実施形態及び第二実施形態に対応し、下記のように構成されている。
【０００７】
このインクパッケージ（Ｐ）は、インク供給口部（１４）を有するインクケース（１）を外壁部（５）内に開閉蓋部（１０）から収容してそのインク供給口部（１４）をこの外壁部（５）から外側へ露出させた包装箱（４）を備えている。このインクケース（１）にはこの包装箱（４）の開閉蓋部（１０）に面して係止部（２０，１６）を設けるとともに、この包装箱（４）の開閉蓋部（１０）にもこのインクケース（１）に面して係止部（１２）を設けている。この開閉蓋部（１０）の係止部（１２）をこのインクケース（１）の係止部（２０，１６）に係止させて、包装箱（４）内でインクケース（１）が動くのを規制するようにしている。
【０００８】
請求項１の発明では、包装箱（４）でインクケース（１）の動きを規制する際、包装箱（４）で通常設けられている既存の開閉蓋部（１０）をインクケース（１）の係止部（２０，１６）に対する規制部として有効に利用することができる。
【０００９】
請求項１の発明を前提とする請求項２の発明は、第一実施形態及び第二実施形態に対応し、下記のように構成されている。
前記開閉蓋部（１０）の係止部は、前記包装箱（４）の外壁部（５）に設けた開口部（９）を開閉するフラップ（１２）であって、この外壁部（５）の開口部（９）に対する閉状態で前記インクケース（１）の係止部（２０，１６）に係止される。この開閉蓋部（１０）の係止部は請求項３の発明のようにサブフラップ（１２）でもよいし、図示しないが、例えばメインフラップ（１１）に設けたものでもよい。例えば、インクケース（１）の係止部は係止突起部（２０）である。
【００１０】
請求項２の発明では、包装箱（４）でインクケース（１）の動きを規制する際、包装箱（４）の開閉蓋部（１０）で通常設けられている既存のフラップ（１２）をインクケース（１）の係止部（２０，１６）に対する規制部として有効に利用することができる。
【００１１】
請求項３の発明にかかるインクパッケージは、第一実施形態及び第二実施形態に対応し、下記のように構成されている。
このインクパッケージ（Ｐ）は、インク供給口部（１４）を有する保持容器（２）に可撓袋（３）を連結してこのインク供給口部（１４）にこの可撓袋（３）内を連通するとともに、この可撓袋（３）をこの保持容器（２）の外側へ突出し得るインクケース（１）と、そのインクケース（１）を外壁部（５）内に開閉蓋部（１０）から収容してインクケース（１）のインク供給口部（１４）をこの外壁部（５）から外側へ露出させた包装箱（４）とを備えている。前記包装箱（４）で開閉蓋部（１０）には外壁部（５）に設けた開口部（９）を開閉するメインフラップ（１１）の内側でその開口部（９）を開閉するサブフラップ（１２）を設けている。前記保持容器（２）に設けた係止部（２０，１６）にこのサブフラップ（１２）をこの外壁部（５）の開口部（９）に対する閉状態で係止させて、包装箱（４）内でインクケース（１）が保持容器（２）に対する可撓袋（３）の突出方向（Ｘ）に沿う可撓袋（３）の撓み方向（Ｘ）へ動くのを規制するようにしている。なお、後記実施形態のように保持容器（２）において開放部（１８）を囲う周壁部（１６）の外周縁部で設けたフランジ（１９）に可撓袋（３）を固着してその保持容器（２）と可撓袋（３）との間でインクを収容したり、図示しないが、インクを収容した可撓袋（３）を保持容器（２）に入れてその可撓袋（３）の連結口部を保持容器（２）のインク供給口部（１４）に接続したりしてもよい。
【００１２】
請求項３の発明では、包装箱（４）で可撓袋（３）を有するインクケース（１）の動きを規制する際、包装箱（４）の開閉蓋部（１０）で通常設けられている既存のサブフラップ（１２）を保持容器（２）の係止部（２０，１６）に対する規制部として有効に利用することができる。
【００１３】
請求項３の発明を前提とする請求項４の発明は、第一実施形態に対応し、下記のように構成されている。
前記保持容器（２）は、前記インク供給口部（１４）を設けた側壁部（１５）と、この側壁部（１５）の外周に設けた周壁部（１６）と、その側壁部（１５）と周壁部（１６）との間に設けた収容室（１７）と、この側壁部（１５）に対向する側でこの収容室（１７）に設けた開放部（１８）とを備えている。前記可撓袋（３）はこの保持容器（２）の周壁部（１６）に連結されてその開放部（１８）から収容室（１７）の外側へ突出可能であり、この保持容器（２）の周壁部（１６）に前記包装箱（４）の開閉蓋部（１０）に面して形成した係止突起部（２０）を前記保持容器（２）の係止部としている。
【００１４】
請求項４の発明では、保持容器（２）の係止部を簡単に形成することができる。
請求項４の発明を前提とする請求項５の発明は、第一実施形態に対応し、下記のように構成されている。
【００１５】
前記保持容器（２）の係止突起部（２０）は、保持容器（２）において開放部（１８）を囲う周壁部（１６）の外周縁部でフランジ（１９）に設けられている。前記可撓袋（３）はこのフランジ（１９）に連結されている。
【００１６】
請求項５の発明では、保持容器（２）において可撓袋（３）を連結するフランジ（１９）を有効に利用して係止突起部（２０）を簡単に形成することができる。
請求項４または請求項５の発明を前提とする請求項６の発明は、第一実施形態に対応し、下記のように構成されている。
【００１７】
前記保持容器（２）の係止突起部（２０）は、前記サブフラップ（１２）が前記包装箱（４）における外壁部（５）の開口部（９）に対する閉状態から開くのを規制するように鉤状をなす。例えば、この鉤状係止突起部（２０）は、フランジ（１９）から延びる基部（２１）と、この基部（２１）から折曲された頭部（２２）とからなり、この頭部（２２）の内側に係止凹部（２３）を形成している。
【００１８】
請求項６の発明では、鉤状係止突起部（２０）によりサブフラップ（１２）の開きも規制することができる。
請求項４または請求項５または請求項６の発明を前提とする請求項７の発明は、第一実施形態に対応し、下記のように構成されている。
【００１９】
前記サブフラップ（１２）は、保持容器（２）に対する可撓袋（３）の突出方向（Ｘ）に沿う可撓袋（３）の撓み方向（Ｘ）の両側で、保持容器（２）の係止突起部（２０）を挟む一対のフラップ部（２４，２５）を有している。
【００２０】
請求項７の発明では、一対のフラップ部（２４，２５）により保持容器（２）の係止突起部（２０）を挟むだけでインクケース（１）の動きを容易に規制することができる。
請求項３の発明を前提とする請求項８の発明は、第二実施形態に対応し、下記のように構成されている。
【００２１】
前記保持容器（２）は、前記インク供給口部（１４）を設けた側壁部（１５）と、この側壁部（１５）の外周に設けた周壁部（１６）と、その側壁部（１５）と周壁部（１６）との間に設けた収容室（１７）と、この側壁部（１５）に対向する側でこの収容室（１７）に設けた開放部（１８）とを備えている。前記可撓袋（３）はこの保持容器（２）の周壁部（１６）に連結されてその開放部（１８）から収容室（１７）の外側へ突出可能である。前記サブフラップ（１２）をこの開放部（１８）に係入してこの周壁部（１６）を前記保持容器（２）の係止部とし、この周壁部（１６）に対するこのサブフラップ（１２）の係止により、サブフラップ（１２）が前記包装箱（４）における外壁部（５）の開口部（９）に対する閉状態から開くのを規制するようにしている。
【００２２】
請求項８の発明では、保持容器（２）の係止部を簡単に形成することができるとともに、サブフラップ（１２）の開きも規制することができる。
【発明の効果】
【００２３】
本発明は、インクケース（１）を収容した包装箱（４）を備えたインクパッケージ（Ｐ）において、包装箱（４）の外壁部（５）内でインクケース（１）の動きを規制する規制構造を簡単にすることができる。
【発明を実施するための最良の形態】
【００２４】
〔第一実施形態〕
まず、本発明の第一実施形態にかかるインクパッケージについて図１〜６を参照して説明する。
【００２５】
このインクパッケージＰは、保持容器２と可撓袋３（可撓壁）とからなるインクケース１と、そのインクケース１を収容する包装箱４とを備えている。
この包装箱４は、段ボールにより成形され、前壁部６と後壁部７と左右の側壁部８とからなる外壁部５の上下両側でこれらの壁部６，７，８間に設けられた上下両開口部９を開閉する開閉蓋部１０を有している。この上下両開閉蓋部１０は、後壁部７と一体に形成されたメインフラップ１１と、左右の側壁部８と一体に形成されたサブフラップ１２とからなる。この前壁部６には切欠部１３が形成されている。
【００２６】
前記インクケース１の保持容器２は、合成樹脂により形態を保ち得る程度の厚みで成形され、インク供給口部１４を有する側壁部１５と、この側壁部１５の外周に設けられた周壁部１６と、その側壁部１５と周壁部１６との間に設けられた収容室１７と、この側壁部１５に対向する側でこの収容室１７に設けられた開放部１８とを備えている。この開放部１８を囲う周壁部１６の外周縁部でフランジ１９が形成されている。前記インクケース１の可撓袋３は合成樹脂により柔軟に成形され、その可撓袋３の外周縁部がこのフランジ１９に固着されている。この保持容器２の内側と可撓袋３の内側との間でインクが収容されている。そのインクの収容状態で可撓袋３がこの開放部１８から収容室１７の外側へ突出している。
【００２７】
前記インクケース１は前記包装箱４において上下両開口部９のうち下側開口部９から外壁部５内に収容され、このインクケース１のインク供給口部１４がこの外壁部５の前壁部６で切欠部１３から外側へ露出している。
【００２８】
前記インクケース１の保持容器２で周壁部１６のフランジ１９のうち前記包装箱４の上下両開閉蓋部１０に面する上下部に左右の鉤状係止突起部２０（係止部）が形成されている。これらの鉤状係止突起部２０は、フランジ１９から上下方向Ｚへ延びる基部２１と、この基部２１から折曲されて前後方向Ｘへ延びる頭部２２とからなり、この頭部２２の内側に係止凹部２３が形成されている。また、前記上下両開閉蓋部１０で各サブフラップ１２は、それぞれ、前後方向Ｘの両側で二分割された一対のフラップ部２４，２５を有している。この各サブフラップ１２の両フラップ部２４，２５を倒して包装箱４の上下両開口部９の一部を閉じると、この両フラップ部２４，２５の端縁部間に鉤状係止突起部２０の基部２１を挟んで包装箱４内でインクケース１が保持容器２に対する可撓袋３の突出方向（前後方向Ｘ）に沿う可撓袋３の撓み方向（前後方向Ｘ）へ動くのを規制するとともに、一方のフラップ部２４が鉤状係止突起部２０の係止凹部２３に入り込んで上下両開口部９に対する閉状態から上下方向Ｚへ開くのを規制する。最後に、上下両開閉蓋部１０のメインフラップ１１を倒して包装箱４の上下両開口部９を閉じる。
【００２９】
このインクパッケージＰは、孔版印刷機に設けられたインク供給台２６に設置され、前記インクケース１で栓１４ａを外したインク供給口部１４にインク供給管２７が接続される。
【００３０】
〔第二実施形態〕
次に、本発明の第二実施形態にかかるインクパッケージについて第一実施形態との相違点を中心に図７〜８を参照して説明する。
【００３１】
第一実施形態における各サブフラップ１２の両フラップ部２４，２５のうち一方のフラップ部２５が省略されて他方のフラップ部２４の全体が第二実施形態のサブフラップ１２になっている。この各サブフラップ１２には舌片状の係止突起部１２ａが形成されている。この各サブフラップ１２を倒して包装箱４の上下両開口部９の一部を閉じるとともに、この各サブフラップ１２の舌片状係止突起部１２ａを保持容器２で開放部１８に係入して周壁部１６（係止部）に係止すると、包装箱４内でインクケース１が保持容器２に対する可撓袋３の突出方向（前後方向Ｘ）に沿う可撓袋３の撓み方向（前後方向Ｘ）へ動くのを規制するとともに、各サブフラップ１２が上下両開口部９に対する閉状態から上下方向Ｚへ開くのを規制する。
【図面の簡単な説明】
【００３２】
【図１】第一実施形態にかかるインクパッケージにおいてインクケースを示す斜視図である。
【図２】第一実施形態にかかるインクパッケージにおいて上記インクケースを収容してメインフラップ及びサブフラップを開いた包装箱を示す斜視図である。
【図３】図２の状態からサブフラップのみを閉じた包装箱を示す斜視図である。
【図４】（ａ）は図３の状態にあるインクパッケージを示す平面図であり、（ｂ）は同じく底面図である。
【図５】図３の状態にあるインクパッケージを側面側から見た断面図である。
【図６】図３の状態からさらにメインフラップを閉じたインクパッケージを孔版印刷機に設置した状態を示す部分断面図である。
【図７】（ａ）は第二実施形態にかかるインクパッケージにおいて図４（ａ）に相当する平面図であり、（ｂ）は同じく図４（ｂ）に相当する底面図である。
【図８】第二実施形態にかかるインクパッケージにおいて図５に相当する断面図である。
【符号の説明】
【００３３】
Ｐ…インクパッケージ、１…インクケース、２…保持容器、３…可撓袋、４…包装箱、５…外壁部、９…開口部、１０…開閉蓋部、１１…メインフラップ、１２…サブフラップ（係止部）、１２ａ…舌片状係止突起部、１４…インク供給口部、１５…側壁部、１６…周壁部（係止部）、１７…収容室、１８…開放部、１９…フランジ、２０…鉤状係止突起部（係止部）、２４，２５…フラップ部。
【図１】
2005350132.tif 000003
【図２】
2005350132.tif 000004
【図３】
2005350132.tif 000005
【図４】
2005350132.tif 000006
【図５】
2005350132.tif 000007
【図６】
2005350132.tif 000008
【図７】
2005350132.tif 000009
【図８】
2005350132.tif 000010